(57)【要約】【課題】ウェブサイト上で新聞の複製物を記念日の贈り物として送付するサービスを発注する際、ユーザの発注する新聞の複製物における記事の内容が贈り相手に適しているかを確認することができる新聞情報出力装置を提供する。【解決手段】新聞情報出力装置は、注文受付部と、得点算出部と、第１出力データ生成部と、を備える。前記注文受付部は、過去の日付を示す日付情報を含む注文を発注端末から受け付ける。前記得点算出部は、新聞の紙面の見出しと、所定条件毎に前記見出しに予め付与された得点との対応関係に基づいて、前記注文受付部が受け付けた注文の前記日付情報に基づき選択された前記見出しを含む新聞の紙面の得点を算出する。前記第１出力データ生成部は、前記得点算出部が算出した前記見出しを含む新聞の紙面の得点を前記発注端末に出力させるデータを生成する。【選択図】図１
2017021715.tif 000002
【特許請求の範囲】
【請求項１】
過去の日付を示す日付情報を含む注文を発注端末から受け付ける注文受付部と、
新聞の紙面の見出しと、所定条件毎に前記見出しに予め付与された得点との対応関係に基づいて、前記注文受付部が受け付けた注文の前記日付情報に基づき選択された前記見出しを含む新聞の紙面の得点を算出する得点算出部と、
前記得点算出部が算出した前記見出しを含む新聞の紙面の得点を前記発注端末に出力させるデータを生成する第１出力データ生成部と、
を備える新聞情報出力装置。
【請求項２】
前記得点算出部は、
前記新聞の紙面の見出しのうち少なくともトップ記事の見出しと、前記所定条件毎に前記見出しに予め付与された得点との対応関係に基づいて、前記注文受付部が受け付けた注文の前記日付情報に基づき選択された前記トップ記事の見出しを含む新聞の紙面の得点を算出し、
前記第１出力データ生成部は、
前記得点算出部が算出した前記トップ記事の見出しを含む新聞の紙面の得点を前記発注端末に出力させる出力データを生成する、
請求項１に記載の新聞情報出力装置。
【請求項３】
前記得点算出部は、
前記新聞の紙面の見出しと、前記所定条件を示すユーザが注文した前記新聞の紙面を贈る贈り相手の属性に応じて予め定められた見出しに付与された得点との対応関係に基づいて、前記見出しを含む新聞の紙面の得点を算出する、
請求項１または請求項２に記載の新聞情報出力装置。
【請求項４】
前記得点算出部は、
前記新聞の紙面の見出しと、前記所定条件を示す前記新聞が発行された時期に応じて予め定められた見出しに付与された得点との対応関係に基づいて、前記見出しを含む新聞の紙面の得点を算出する、
請求項１から請求項３の何れか一項に記載の新聞情報出力装置。
【請求項５】
前記発注端末に出力させる第１の新聞の紙面を、前記得点算出部が前記得点を算出可能な新聞の紙面のうちの他の第２の新聞の紙面に変更する場合に、前記得点算出部が算出した前記見出しを含む新聞の紙面の得点に基づいて特定した前記第１の新聞の日付から所定期間内の新聞の紙面を選択する新聞選択部と、
前記新聞選択部が選択した新聞の紙面、または、当該紙面の得点のうち何れか一方または両方を前記発注端末に出力させるデータを生成する第２出力データ生成部と、
を備える請求項１から請求項４の何れか一項に記載の新聞情報出力装置。
【請求項６】
前記新聞の１つの紙面は、複数の見出しを含み、
前記得点算出部は、前記新聞の１つの紙面に含まれる複数の見出しのそれぞれに対して得点を算出し、算出した得点の総和を前記新聞の１つの紙面に含まれる複数の見出しの総数で除算して前記新聞の１つの紙面に含まれる見出しの平均得点を算出し、
前記第１出力データ生成部は、前記得点算出部が算出した前記平均得点を前記発注端末に出力させるデータを生成する、
請求項１から請求項５の何れか一項に記載の新聞情報出力装置。
【請求項７】
コンピュータを、
過去の日付を示す日付情報を含む注文を受け付ける注文受付手段、
新聞の紙面の見出しと、所定条件毎に前記見出しに予め付与された得点との対応関係に基づいて、前記注文受付手段が受け付けた注文の前記日付情報に基づき選択された前記見出しを含む新聞の紙面の得点を算出する新聞紙面判定手段、
前記新聞紙面判定手段が算出した前記見出しを含む新聞の紙面の得点を発注端末に出力させるデータを生成する第１出力データ生成手段、
として機能させるプログラム。
【発明の詳細な説明】
【技術分野】
【０００１】
本発明は、新聞情報出力装置及びプログラムに関する。
【背景技術】
【０００２】
ユーザが指定した日に発行された新聞の紙面を印刷した新聞の複製物を誕生日や結婚記念日などの記念日の贈り物として送付するサービスが知られている。
特許文献１には、関連する技術として、過去の日付を指定する操作を受け付け、指定された過去の日付に発行された新聞の紙面を紙媒体に印刷し、印刷により得た新聞の複製物を出力する新聞出力装置に関する技術が記載されている。
【先行技術文献】
【特許文献】
【０００３】
【特許文献１】特開２０００−３０１４５号公報
【発明の概要】
【発明が解決しようとする課題】
【０００４】
ところで、上述のような新聞の複製物を贈り物として受け取る場合、一般的に、犯罪や事故などの悪いまたは暗い内容の記事が記載された新聞の複製物よりは、景気回復やオリンピック開催などの良いまたは明るい内容の記事が記載された新聞の複製物である方が好ましい。
そのため、ウェブサイト上で新聞の複製物を記念日の贈り物として送付するサービスを発注する際、ユーザの発注する新聞の複製物における記事の内容が贈り相手に適しているかを確認することのできる技術が求められていた。
【０００５】
そこでこの発明は、上記の課題を解決することのできる新聞情報出力装置及びプログラムを提供することを目的としている。
【課題を解決するための手段】
【０００６】
本発明の第１の態様によれば、新聞情報出力装置は、過去の日付を示す日付情報を含む注文を発注端末から受け付ける注文受付部と、新聞の紙面の見出しと、所定条件毎に前記見出しに予め付与された得点との対応関係に基づいて、前記注文受付部が受け付けた注文の前記日付情報に基づき選択された前記見出しを含む新聞の紙面の得点を算出する得点算出部と、前記得点算出部が算出した前記見出しを含む新聞の紙面の得点を前記発注端末に出力させるデータを生成する第１出力データ生成部と、を備える。
【０００７】
本発明の第２の態様によれば、上述の新聞情報出力装置において、前記得点算出部は、前記新聞の紙面の見出しのうち少なくともトップ記事の見出しと、前記所定条件毎に前記見出しに予め付与された得点との対応関係に基づいて、前記注文受付部が受け付けた注文の前記日付情報に基づき選択された前記トップ記事の見出しを含む新聞の紙面の得点を算出する。前記第１出力データ生成部は、前記得点算出部が算出した前記トップ記事の見出しを含む新聞の紙面の得点を前記発注端末に出力させる出力データを生成する。
【０００８】
本発明の第３の態様によれば、上述の新聞情報出力装置において、前記得点算出部は、前記新聞の紙面の見出しと、前記所定条件を示すユーザが注文した前記新聞の紙面を贈る贈り相手の属性に応じて予め定められた見出しに付与された得点との対応関係に基づいて、前記見出しを含む新聞の紙面の得点を算出する。
【０００９】
本発明の第４の態様によれば、上述の新聞情報出力装置において、前記得点算出部は、前記新聞の紙面の見出しと、前記所定条件を示す前記新聞が発行された時期に応じて予め定められた見出しに付与された得点との対応関係に基づいて、前記見出しを含む新聞の紙面の得点を算出する。
【００１０】
本発明の第５の態様によれば、上述の新聞情報出力装置は、前記発注端末に出力させる第１の新聞の紙面を、前記得点算出部が前記得点を算出可能な新聞の紙面のうちの他の第２の新聞の紙面に変更する場合に、前記得点算出部が算出した前記見出しを含む新聞の紙面の得点に基づいて特定した前記第１の新聞の日付から所定期間内の新聞の紙面を選択する新聞選択部と、前記新聞選択部が選択した新聞の紙面、または、当該紙面の得点のうち何れか一方または両方を前記発注端末に出力させるデータを生成する第２出力データ生成部と、を備える。
【００１１】
本発明の第６の態様によれば、上述の新聞情報出力装置において、前記新聞の１つの紙面は、複数の見出しを含み、前記得点算出部は、前記新聞の１つの紙面に含まれる複数の見出しのそれぞれに対して得点を算出し、算出した得点の総和を前記新聞の１つの紙面に含まれる複数の見出しの総数で除算して前記新聞の１つの紙面に含まれる見出しの平均得点を算出し、前記第１出力データ生成部は、前記得点算出部が算出した前記平均得点を前記発注端末に出力させるデータを生成する。
【００１２】
本発明の第７の態様によれば、プログラムは、コンピュータを、過去の日付を示す日付情報を含む注文を受け付ける注文受付手段、新聞の紙面の見出しと、所定条件毎に前記見出しに予め付与された得点との対応関係に基づいて、前記注文受付手段が受け付けた注文の前記日付情報に基づき選択された前記見出しを含む新聞の紙面の得点を算出する新聞紙面判定手段、前記新聞紙面判定手段が算出した前記見出しを含む新聞の紙面の得点を発注端末に出力させるデータを生成する第１出力データ生成手段、として機能させる。
【発明の効果】
【００１３】
本発明の新聞情報出力装置の処理により、ウェブサイト上で新聞の複製物を記念日の贈り物として送付するサービスを発注する際、ユーザの発注する新聞の複製物における記事の内容が贈り相手に適しているかを確認することができる。
【図面の簡単な説明】
【００１４】
【図１】本発明の一実施形態による受発注システムの構成を示す図である。
【図２】本実施形態による新聞情報出力装置の構成を示す図である。
【図３】本実施形態による新聞情報出力装置を実現するハードウェアの構成を示す図である。
【図４】本実施形態による紙面情報記憶部が記憶するデータテーブルを示す図である。
【図５】本実施形態による紙面得点データ記憶部が記憶するデータテーブルを示す第１の図である。
【図６】本実施形態による紙面得点データ記憶部が記憶するデータテーブルを示す第２の図である。
【図７】本実施形態における注文を受け付ける受付画面を示す第１の図である。
【図８】本実施形態における注文を受け付ける受付画面を示す第２の図である。
【図９】本実施形態における受付画面での操作の支援を示す図である。
【図１０】本実施形態における受付画面での操作に基づき作製される記念日新聞に係るサービスの商品のイメージを示す図である。
【図１１】本実施形態による新聞情報出力装置の処理フローを示す第１の図である。
【図１２】本実施形態による新聞情報出力装置の処理フローを示す第２の図である。
【発明を実施するための形態】
【００１５】
＜実施形態＞
以下、本発明の一実施形態について、図面を参照して詳細に説明する。
まず、本実施形態による新聞情報出力装置１を備える受発注システム３の構成について説明する。
本実施形態による受発注システム３は、図１に示すように、発注端末４０と、受注システム５０と、ネットワーク６０とを備える。また、受注システム５０は、新聞情報出力装置１と、印刷機２とを備える。
【００１６】
発注端末４０は、ユーザが記念日新聞に係るサービスを発注するための装置である。例えば、発注端末４０は、ウェブブラウザがインストールされたパーソナルコンピュータ、スマートフォン、タブレット端末などである。なお、記念日新聞に係るサービスは、例えば、過去に発行した新聞の紙面情報を用いて記念日などのユーザが指定した日付の新聞記事（一面やテレビ欄など）を製本した商品を提供するサービスである。なお、紙面情報とは、過去に発行した新聞の紙面のスキャンデータである。
【００１７】
受注システム５０は、発注端末４０からユーザが発注した記念日新聞に係るサービスを受注する装置である。
新聞情報出力装置１は、記念日新聞に係るサービスの注文サイトを管理する。すなわち、新聞情報出力装置１は、記念日新聞に係るサービスの注文サイトの情報リソースを記憶する。また、新聞情報出力装置１は、過去の日付を示す日付情報を含む注文を受け付ける。新聞情報出力装置１は、発注端末４０が送信したＨＴＭＬのデータ（注文を示すデータ）を受信し、注文を記憶する。また、新聞情報出力装置１は、新聞社から提供された過去に発行した新聞の紙面情報を記憶する。また、新聞情報出力装置１は、記憶している新聞の紙面情報を読み出す。また、新聞情報出力装置１は、新聞社から新規に提供された新聞の紙面情報を記憶する。また、新聞情報出力装置１は、新聞の紙面の見出しと、所定条件毎に見出しに予め付与された得点との対応関係に基づいて、受け付けた注文の日付情報に基づき選択された見出しを含む新聞の紙面の得点を算出する。ここで、所定条件は、ユーザが注文した新聞の紙面を贈る贈り相手の属性（例えば、男女別、家族構成別、地域別、趣味別、年収別のそれぞれと、それぞれの可能な組み合わせ）と、新聞が発行された時期（例えば、年毎、月毎、日毎、明治、大正、昭和元年〜２０年、昭和２０年〜現在など）との組み合わせにより決定される条件である。新聞情報出力装置１は、算出した見出しを含む新聞の紙面の得点を発注端末４０に出力させるデータを生成する。
発注端末４０は、新聞情報出力装置１が生成したデータを用いて新聞の紙面の得点を出力し、ユーザに新聞の紙面の得点を報知する。これにより、ユーザは、新聞の紙面の得点に基づいて、注文した新聞の紙面が新聞の紙面を贈る贈り相手に適しているか否かを判定することができる。また、ユーザが新聞の紙面が新聞の紙面を贈る贈り相手に適していないと判定し、新聞の紙面を別の新聞の紙面に変更する指示を出した場合、新聞情報出力装置１は、変更前の新聞の紙面とは別の新聞の紙面に対して得点を算出し、得点の高い新聞の紙面を特定することで、特定した得点の高い新聞の紙面を変更する新聞の紙面としてユーザに推奨することができる。
なお、新聞情報出力装置１は、算出したトップ記事の見出しを含む新聞の紙面の得点を発注端末４０に出力させる出力データを生成してもよい。また、このとき、新聞情報出力装置１は、算出した得点の平均得点を発注端末４０に出力させる出力データを生成してもよい。また、新聞情報出力装置１は、印刷機２に発注端末４０から受注した記念日新聞に係るサービスに使用する新聞の紙面情報を出力する。
印刷機２は、新聞情報出力装置１から新聞の紙面情報を取得すると、その紙面情報を記念日新聞に係るサービス、例えば記念日に発行された新聞記事の製本に用いる用紙に印刷する。
【００１８】
ネットワーク６０は、例えば、インターネットプロトコル（Ｉｎｔｅｒｎｅｔ  Ｐｒｏｔｏｃｏｌ；ＩＰ）によって通信可能なコンピュータネットワークである。例えば、ネットワーク６０は、インターネットである。なお、ネットワーク６０は、ローカルエリアネットワーク（Ｌｏｃａｌ  Ａｒｅａ  Ｎｅｔｗｏｒｋ；ＬＡＮ）を含んでもよい。
発注端末４０と、受注システム５０とは、ネットワーク６０を介して通信可能に接続されている。
【００１９】
ユーザは、発注端末４０のウェブブラウザを用いて新聞情報出力装置１が管理する記念日新聞に係るサービスの注文サイトを閲覧し、その注文サイトの注文フォームに従って注文の操作を行う。記念日新聞に係るサービスの注文サイトは、オンラインショップサイトである。例えば、発注端末４０は、ＨＴＴＰ（Ｈｙｐｅｒｔｅｘｔ  Ｔｒａｎｓｆｅｒ  Ｐｒｏｔｏｃｏｌ）またはＨＴＴＰＳ（Ｈｙｐｅｒｔｅｘｔ  Ｔｒａｎｓｆｅｒ  Ｐｒｏｔｏｃｏｌ  Ｓｅｃｕｒｅ）によって、新聞情報出力装置１が管理する記念日新聞に係るサービスの注文サイトにアクセスし、新聞情報出力装置１からＨＴＭＬ（Ｈｙｐｅｒｔｅｘｔ  Ｍａｒｋｕｐ  Ｌａｎｇｕａｇｅ）の情報リソースを取得する。そして、発注端末４０は、取得した情報リソースをウェブブラウザによって表示部７０（出力部）に表示させる。発注端末４０は、ユーザが操作を行い指定した注文を示すデータを、ＨＴＭＬのデータとして新聞情報出力装置１に送信する。
【００２０】
新聞情報出力装置１は、発注端末４０から受信した注文に基づいて、ユーザが指定した発行日の紙面の得点を算出する。新聞情報出力装置１は、算出した得点を発注端末４０に送信する。発注端末４０は、得点を出力し、その得点をユーザに報知する。ユーザは、得点を参考に最終的な注文内容を確定し、確定した注文内容を発注端末４０に送信する。新聞情報出力装置１は、発注端末４０から受信した注文内容に基づいて、ユーザが指定した発行日の紙面情報と注文票を作成するためのデータとを取得する。新聞情報出力装置１は、取得した紙面情報と注文票を作成するためのデータとを印刷機２に送信する。印刷機２は、新聞情報出力装置１から紙面情報と注文票を作成するためのデータとを受信すると、記念日新聞に係るサービス専用の用紙に受信した紙面情報が示す記事を印刷する。また、印刷機２は、記念日新聞に係るサービスの注文票を印刷する。
印刷機２が記事を印刷したサービス専用の用紙は、製本され、注文票と共にユーザが指定した住所へ送付される。
【００２１】
次に、本実施形態による新聞情報出力装置１の構成について説明する。
実施形態において、新聞情報出力装置１は、記念日新聞に係るサービスのウェブサイト上で注文のための操作を案内すると共に、ユーザが発注端末４０を操作してウェブサイトから指定した注文を受け付ける装置である。
新聞情報出力装置１は、図２に示すように、通信部１０と、紙面情報記憶部１２と、紙面情報管理部１４と、注文受付部１５と、受付画面データ生成部１６（第１出力データ生成部の例であり、第２出力データ生成部の例でもある）と、受付画面データ記憶部１７と、紙面得点データ記憶部１８と、注文受付結果読取部２０と、注文受付結果記憶部２２と、日付判定部２４と、紙面情報出力部２５と、新聞紙面判定部２６（得点算出部の例であり、新聞選択部の例でもある）と、ファイル取得部２７と、を備える。
【００２２】
通信部１０は、ネットワーク６０を介して発注端末４０が備える通信部と通信を行う。
紙面情報記憶部１２は、新聞の発行日とその発行日に発行された新聞の紙面情報とを対応付けて記憶する。なお、紙面情報記憶部１２が記憶する新聞の発行日は、朝刊及び夕刊の休刊日が含まれている。
【００２３】
紙面情報管理部１４は、紙面情報記憶部１２が記憶する過去に発行された新聞の紙面情報を読み出す。また、紙面情報管理部１４は、新規に発行された新聞の紙面情報を紙面情報記憶部１２に書き込む。
注文受付部１５は、過去の日付を示す日付情報を含む記念日新聞に係るサービスの注文を発注端末４０から受け付ける。
【００２４】
受付画面データ生成部１６は、新聞紙面判定部２６が算出した見出しを含む新聞の紙面の得点を発注端末４０に出力させるデータを生成する。このとき、受付画面データ生成部１６は、新聞紙面判定部２６が算出したトップ記事の見出しを含む新聞の紙面の得点を発注端末４０に出力させる出力データを生成してもよい。また、このとき、受付画面データ生成部１６は、新聞紙面判定部２６が算出した得点の平均得点を発注端末４０に出力させる出力データを生成してもよい。
また、受付画面データ生成部１６は、日付情報が示す日に発行された新聞の紙面情報が記憶されているか否かを日付判定部２４が判定した結果に基づいて、注文の受け付け結果を表示する画面の画面データを生成する。
また、受付画面データ生成部１６は、注文受付結果読取部２０が読み取った注文の受け付け結果をユーザが修正できる表示で画面に表示する画面データを生成する。
また、受付画面データ生成部１６は、ユーザが注文の操作を行う際に、画面における操作箇所を誘導し、操作箇所での操作例を表示する画面データを生成する。
また、受付画面データ生成部１６は、ユーザが注文の操作を行う際に、画面における注文の操作手順を示す動画を表示する画面データを生成する。
また、受付画面データ生成部１６は、画面に注文に対応する商品のサンプルを表示する画面データを生成する。
【００２５】
受付画面データ記憶部１７は、記念日新聞に係るサービスの注文サイトの情報リソースを記憶する。
紙面得点データ記憶部１８は、新聞の紙面のうち少なくともトップ記事の見出しと、所定条件毎にトップ記事の見出しに予め付与された得点とを対応付けて記憶する。
注文受付結果読取部２０は、ファイル取得部２７が取得したファイルに含まれる注文の受け付け結果を読み取る。
【００２６】
注文受付結果記憶部２２は、注文受付結果読取部２０が読み取った注文を記憶する。
日付判定部２４は、注文受付部１５が受け付ける注文に含まれる日付情報が示す日に発行された新聞の紙面情報が、新聞の発行日と当該発行日に発行された新聞の紙面情報とを対応付けて記憶する紙面情報記憶部１２に記憶されているか否かを判定する。
【００２７】
日付判定部２４は、注文受付部１５が１つの日付を示す日付情報と複数年を示す日付情報とを発注端末４０から受け付けた場合、複数年のそれぞれが示す年と１つの日付が示す月日とを組み合わせたそれぞれの年月日に発行された新聞の紙面情報が、新聞の発行日と当該発行日に発行された新聞の紙面情報とを対応付けて記憶する紙面情報記憶部１２に記憶されているか否かを判定する。
【００２８】
紙面情報出力部２５は、日付情報が示す日に発行された新聞の紙面情報が記憶されているか否かを日付判定部２４が判定した結果に基づいて、注文受付部１５が受け付ける注文に含まれる日付情報が示す日に発行された新聞の紙面情報、または日付情報が示す日の前後の日に発行された新聞の紙面情報の何れかを選択して、選択した紙面情報を出力する。
また、紙面情報出力部２５は、日付情報が示す日に発行された新聞の紙面情報が、新聞の発行日と当該発行日に発行された新聞の紙面情報とを対応付けて記憶する紙面情報記憶部１２に記憶されていると日付判定部２４が判定した場合、注文受付部１５が受け付ける注文に含まれる日付情報が示す日に発行された新聞の紙面情報を選択して、選択した紙面情報を出力する。また、紙面情報出力部２５は、日付情報が示す日に発行された新聞の紙面情報が、新聞の発行日と当該発行日に発行された新聞の紙面情報とを対応付けて記憶する紙面情報記憶部１２に記憶されていないと日付判定部２４が判定した場合、注文受付部１５が受け付ける注文に含まれる日付情報が示す日の前後の日に発行された新聞の紙面情報の何れかを選択して、選択した紙面情報を出力する。
【００２９】
新聞紙面判定部２６は、紙面得点データ記憶部１８が記憶する新聞の紙面の見出しと、所定条件毎に見出しに予め付与された得点との対応関係に基づいて、注文受付部１５が受け付けた注文の日付情報に基づき選択された見出しを含む新聞の紙面の得点を算出する。このとき、新聞紙面判定部２６は、新聞の紙面の見出しのうち少なくともトップ記事の見出しと、所定条件毎に見出しに予め付与された得点との対応関係に基づいて、注文受付部１５が受け付けた注文の日付情報に基づき選択されたトップ記事の見出しを含む新聞の紙面の得点を算出してもよい。
また、新聞紙面判定部２６は、新聞の紙面を別の新聞の紙面に変更するか否かを判定し、新聞の紙面を別の新聞の紙面に変更すると判定した場合に、新聞の紙面の変更前に選択されていた新聞の日付の前後の日（所定期間の例）のうち、見出しを含む新聞の紙面の得点が高い新聞の紙面を特定する。
ファイル取得部２７は、注文を含む所定のファイル形式のファイルを取得する。
【００３０】
新聞情報出力装置１において、日付判定部２４が注文受付結果読取部２０の読み取った注文に含まれる発行日に対応する紙面情報が有ると判定した場合、紙面情報出力部２５は、注文受付部１５が受け付ける注文に含まれる日付情報が示す日に発行された新聞の紙面情報を選択して、選択した紙面情報を出力する。また、日付判定部２４がその発行日に対応する紙面情報が無いと判定した場合、紙面情報出力部２５は、注文受付部１５が発注端末４０から受け付ける注文に含まれる日付情報が示す日の前後の日に発行された新聞の紙面情報の何れかを選択して、選択した紙面情報を出力する。新聞紙面判定部２６は、紙面得点データ記憶部１８が記憶する新聞の紙面のうち少なくともトップ記事の見出しと、所定条件毎にトップ記事の見出しに予め付与された得点との対応関係に基づいて、注文受付部１５が発注端末４０から受け付けた注文の日付情報に基づき選択された見出しを含む新聞の紙面の得点を算出する。
【００３１】
次に、図２で示した新聞情報出力装置１を実現するハードウェアの構成について説明する。
図２で示した新聞情報出力装置１は、図３に示すように、ＣＰＵ部２８と、通信部１０と、記憶部３０と、を備える。ＣＰＵ部２８、通信部１０、記憶部３０のそれぞれは、データを交換できるように構成されている。ＣＰＵ部２８は、新聞情報出力装置１の制御を行う。この制御機能は、ＣＰＵ部２８がコンピュータプログラムを実行することにより実現される。通信部１０は、他の装置と通信を行う。記憶部３０は、ＣＰＵ部２８で実行されるコンピュータプログラムや各種のデータを記憶する。記憶部３０は、記念日新聞受注プログラム３２を記憶している。
【００３２】
図２で示した紙面情報管理部１４、注文受付部１５、受付画面データ生成部１６、注文受付結果読取部２０、日付判定部２４、紙面情報出力部２５、新聞紙面判定部２６、ファイル取得部２７のそれぞれは、図３で示したＣＰＵ部２８が記憶部３０の記憶する記念日新聞受注プログラム３２を実行することにより実現される。また、図２で示した紙面情報記憶部１２、受付画面データ記憶部１７、紙面得点データ記憶部、注文受付結果記憶部２２のそれぞれは、図３で示した記憶部３０内に設けられる。
【００３３】
次に、本実施形態による紙面情報記憶部１２が記憶するデータテーブルＴＢＬ１及びデータテーブルＴＢＬ２について説明する。
まず、紙面情報記憶部１２が記憶するデータテーブルＴＢＬ１について説明する。
図４に示す紙面情報記憶部１２が記憶するデータテーブルＴＢＬ１は、採録期間における新聞の紙面情報の有無を示している。
例えば、データテーブルＴＢＬ１において、朝刊の紙面情報が無い場合、朝刊発行フラグは「０」である。そして、朝刊発行フラグ「０」に対応する紙面情報の識別番号を示す紙面情報識別番号は「ｍ００００００００」によって示される。紙面情報識別番号は、発行された朝刊と夕刊の各新聞の紙面情報を識別する識別番号を示す番号である。この紙面情報識別番号「ｍ００００００００」は、朝刊の紙面情報が存在しないことを示す。また、朝刊の紙面情報が有る場合、朝刊発行フラグは「１」である。そして、対応する紙面情報識別番号は「ｍ００００００００」以外の「ｍｙｙｙｙｍｍｄｄ」によって示される。
また、データテーブルＴＢＬ１において、夕刊の紙面情報が無い場合、夕刊発行フラグは「０」である。そして、夕刊発行フラグ「０」に対応する紙面情報識別番号は「ｅ００００００００」によって示される。この紙面情報識別番号「ｅ００００００００」は、夕刊の紙面情報が存在しないことを示す。また、夕刊の紙面情報が有る場合、夕刊発行フラグは「１」である。そして、対応する紙面情報識別番号は「ｅ００００００００」以外の「ｅｙｙｙｙｍｍｄｄ」によって示される。なお、採録期間は、例えば、紙面情報が存在する１８７３年（明治６年）１月１日から現在日までである。
【００３４】
例えば、図４に示すデータテーブルＴＢＬ１において、日付「２０１４年８月１２日」の朝刊の朝刊発行フラグは、「０」である。そして、朝刊発行フラグ「０」に対応する紙面情報識別番号は、「ｍ００００００００」である。また、日付「２０１４年８月１２日」の夕刊の夕刊発行フラグは、「０」である。そして、夕刊発行フラグ「０」に対応する紙面情報識別番号は、「ｅ００００００００」である。
したがって、「２０１４年８月１２日」の新聞は、朝刊及び夕刊の両方が休刊である。
【００３５】
また、例えば、図４に示すデータテーブルＴＢＬ１において、日付「２０１４年８月１３日」の朝刊の朝刊発行フラグは、「１」である。そして、朝刊発行フラグ「１」に対応する紙面情報識別番号は、「ｍ２０１４０８１３」である。また、日付「２０１４年８月１３日」の夕刊の夕刊発行フラグは、「１」である。そして、夕刊発行フラグ「１」に対応する紙面情報識別番号は、「ｅ２０１４０８１３」である。
したがって、「２０１４年８月１３日」の新聞は、朝刊及び夕刊の両方が発行されている。
【００３６】
また、例えば、図４に示すデータテーブルＴＢＬ１において、日付「２０１４年８月１４日」の朝刊の朝刊発行フラグは、「０」である。そして、朝刊発行フラグ「０」に対応する紙面情報識別番号は、「ｍ００００００００」である。また、日付「２０１４年８月１４日」の夕刊の夕刊発行フラグは、「１」である。そして、夕刊発行フラグ「１」に対応する紙面情報識別番号は、「ｅ２０１４０８１４」である。
したがって、「２０１４年８月１４日」の新聞は、朝刊が休刊であり、夕刊が発行されている。
【００３７】
また、例えば、図４に示すデータテーブルＴＢＬ１において、日付「２０１４年８月１５日」の朝刊の朝刊発行フラグは、「１」である。そして、朝刊発行フラグ「１」に対応する紙面情報識別番号は、「ｍ２０１４０８１５」である。また、日付「２０１４年８月１５日」の夕刊の夕刊発行フラグは、「０」である。そして、夕刊発行フラグ「０」に対応する紙面情報識別番号は、「ｅ００００００００」である。
したがって、「２０１４年８月１４日」の新聞は、朝刊が発行されており、夕刊が休刊である。
なお、紙面情報管理部１４は、新聞社から新たな紙面情報が提供される度にその紙面情報をデータテーブルＴＢＬ１に追加する。
【００３８】
次に、紙面情報記憶部１２が記憶するデータテーブルＴＢＬ２について説明する。
図４に示す紙面情報記憶部１２が記憶するデータテーブルＴＢＬ２は、紙面情報識別番号と紙面情報との対応関係を示している。
例えば、データテーブルＴＢＬ２において、紙面情報識別番号「ｍ２０１４０８１３」は、紙面情報「ｄｍ２０１４０８１３」と対応付けられている。また、紙面情報識別番号「ｅ２０１４０８１３」は、紙面情報「ｄｅ２０１４０８１３」と対応付けられている。また、紙面情報識別番号「ｅ２０１４０８１４」は、紙面情報「ｄｅ２０１４０８１４」と対応付けられている。また、紙面情報識別番号「ｍ２０１４０８１５」は、紙面情報「ｄｍ２０１４０８１５」と対応付けられている。
なお、紙面情報管理部１４は、新聞社から新たな紙面情報が提供される度にその紙面情報をデータテーブルＴＢＬ２に追加する。
なお、データテーブルＴＢＬ１及びデータテーブルＴＢＬ２は、新聞社毎に用意されている。
【００３９】
次に、紙面得点データ記憶部１８が記憶するデータテーブルＴＢＬ３について説明する。
紙面得点データ記憶部１８が記憶するデータテーブルＴＢＬ３は、新聞の紙面のうち少なくともトップ記事の見出しの紙面における位置と、少なくともトップ記事の見出しにおいて使用されているキーワードとの対応関係を示している。例えば、図５に示すデータテーブルＴＢＬ３は、新聞の紙面の紙面情報識別番号と、紙面情報識別番号に対応する紙面情報におけるトップ記事の見出しと、トップ記事の見出しの紙面における位置と、トップ記事の見出しで使用されているキーワードと、紙面のサムネールデータとの対応関係を示している。データテーブルＴＢＬ３におけるキーワードは、新聞のフォントサイズやレイアウトなどに基づいて、ＯＣＲ（Ｏｐｔｉｃａｌ  Ｃｈａｒａｃｔｅｒ  Ｒｅｃｏｇｎｉｔｉｏｎ）の技術を用いて新聞の紙面のうち少なくともトップ記事の見出しを抽出し、抽出したトップ記事の見出しに対して形態素解析を行うことで特定したキーワードである。データテーブルＴＢＬ３は、注文受付部１５の発注端末４０から受け付けた注文に基づき選択された新聞の紙面の得点を新聞紙面判定部２６が算出する前に、予め作成しておくものである。
【００４０】
次に、紙面得点データ記憶部１８が記憶するデータテーブルＴＢＬ４について説明する。
紙面得点データ記憶部１８が記憶するデータテーブルＴＢＬ４は、新聞の紙面のうち少なくともトップ記事の見出しと、所定条件毎にトップ記事の見出しに予め付与された得点との対応関係を示している。例えば、図６に示すデータテーブルＴＢＬ４は、ユーザが注文した新聞の紙面を贈る贈り相手の属性「男女別」と、新聞が発行された時期「明治、大正、昭和元年〜２０年、昭和２０年〜現在の４つの年代」との組み合わせにより決定される各キーワードの得点を示す。データテーブルＴＢＬ４において明治、大正、昭和元年〜２０年、昭和２０年〜現在の４つのそれぞれの年代に発行された新聞おけるキーワードＡ、Ｂ、Ｃ、Ｄ、・・・のそれぞれに対し、男女別に得点が付与されている。例えば、新聞紙面判定部２６は、明治に発行された新聞において見出しにキーワードＣが使用されている場合、ユーザが注文した新聞の紙面を贈る贈り相手の属性が女性であればキーワードＣの得点を８０点、男性であればキーワードＣの得点９０点と算出する。また、例えば、新聞紙面判定部２６は、昭和２０年〜現在に発行された新聞において見出しにキーワードＤが使用されている場合、ユーザが注文した新聞の紙面を贈る贈り相手の属性が女性であればキーワードＤの得点を５０点、男性であればキーワードＤの得点を３０点と算出する。
【００４１】
データテーブルＴＢＬ４におけるキーワードは、図５で示したデータテーブルＴＢＬ３を作成する際に抽出されたキーワードと同一である。データテーブルＴＢＬ４における各キーワードに付与されている得点は、不特定多数の人に対するアンケートなどに基づいて決定されるものである。なお、各キーワードに付与されている得点は、各年代の時代背景が反映される傾向にある。例えば、キーワードＡ（死亡）は、各年代に関わらず、悪い、または、暗い言葉として認識されるため、得点が低くなる傾向にある。それに対して、例えば、キーワードＤ（敗北）は、明治後期から昭和２０年までは、戦争が行われた関係上、悪い、または、暗い言葉として認識されたため得点が低くなる傾向にある。しかしながら、昭和２０年以降は、日本は戦争は行っておらず敗北という言葉はスポーツなどで使用されるため、キーワードＤ（敗北）の得点は戦争が行われていた年代に比べて高くなる傾向にある。データテーブルＴＢＬ４は、新聞紙面判定部２６が注文受付部１５の発注端末４０から受け付けた注文に基づき選択された新聞の紙面の得点を算出する前に、予め作成しておくものである。
【００４２】
なお、データテーブルＴＢＬ４は、図６に示すデータテーブルに限定するものではない。データテーブルＴＢＬ４における各キーワードに付与される得点は、ユーザが注文した新聞の紙面を贈る贈り相手の属性（例えば、男女別、家族構成別、地域別、趣味別、年収別のそれぞれと、それぞれの可能な組み合わせ）と、新聞が発行された時期（例えば、年毎、月毎、日毎、明治、大正、昭和元年〜２０年、昭和２０年〜現在など）との可能な組み合わせにより決定される所定条件毎に、不特定多数の人に対するアンケートなどに基づいて決定されるものであってよい。なお、ユーザが注文した新聞の紙面を贈る贈り相手の属性が複数組み合わさった場合、キーワードに付与される得点は、それぞれの属性に対して付与された得点を単に平均するものではない。例えば、明治に発行された新聞において見出しにキーワードＣが使用されており、ユーザが注文した新聞の紙面を贈る贈り相手の属性が地域として東京である場合に、キーワードＣの得点が３０点であったとする。明治に発行された新聞において見出しにキーワードＣが使用されており、ユーザが注文した新聞の紙面を贈る贈り相手の属性が男性で地域として東京である場合には、属性が男性である場合のキーワードＣの得点である９０点と、属性が地域として東京である場合のキーワードＣの得点である３０点とを平均するのではない。明治に発行された新聞において見出しにキーワードＣが使用されており、ユーザが注文した新聞の紙面を贈る贈り相手の属性が男性で地域として東京である場合のキーワードＣの得点は、属性が男性でかつ地域が東京である不特定多数の人に対するアンケートなどに基づいて決定された、所定条件毎に固有の得点となる。また、データテーブルＴＢＬ４において、キーワードのそれぞれは、各キーワード毎に異なる時期に対応付けられていてもよい。また、データテーブルＴＢＬ４において、キーワードのそれぞれは、各キーワード毎に異なる所定条件に対応付けられていてもよい。
【００４３】
次に、ユーザが注文の操作を行う受付画面について説明する。
ユーザは、記念日新聞に係るサービスを発注する際に、図７及び図８に示すような受付画面に対して、注文の操作を行う。
図７（１）〜（３）及び図８（４）〜（６）は、ユーザが記念日新聞に係るサービスを発注する際の主な受付画面を示している。
【００４４】
図７（１）の受付画面は、ユーザが行う注文の主な操作である「１．新聞社の入力」を行う画面である。図７（１）の受付画面でユーザが行う「１．新聞社の入力」の操作は、複数の新聞社が発行する新聞のうちどの新聞記事を使用して記念日新聞に係るサービスを提供するかを指定するための操作である。例えば、ユーザが行う「１．新聞社の入力」の操作は、図７（１）に示すように、「ご希望の新聞社をお選びください」という表示の近傍に表示されたプルダウンメニューに示される複数の新聞社の中から１つの新聞社をユーザが選択する操作である。
なお、ユーザが行う「１．新聞社の入力」の操作は、プルダウンメニューに示される複数の新聞社の中から１つの新聞社を選択する操作に限定するものではない。例えば、ユーザが行う「１．新聞社の入力」の操作は、キーボードをタイプして入力欄に１つの新聞社名を打ち込む操作であってもよい。
【００４５】
図７（２）の受付画面は、ユーザが行う注文の主な操作である「２．記念日の入力」を行う画面である。図７（２）の受付画面でユーザが行う「２．記念日の入力」の操作は、いつ発行した新聞の新聞記事を使用して記念日新聞に係るサービスを提供するかを指定するための操作である。例えば、ユーザが行う「２．記念日の入力」の操作は、図７（２）に示すように、「ご希望の日付を入力してください」という表示の近傍に表示されたプルダウンメニューに示される「年」、「月」及び「日」のそれぞれを複数の候補の中から選択し、その選択により日付（年月日）を指定する操作である。また、ユーザが行う「２．記念日の入力」の操作は、プルダウンメニューに示される「年分」のそれぞれの複数の候補の中から１つを選択することにより複数年まとめて日付を指定する操作である。すなわち、ユーザは、１つの日付を示す「年」、「月」、「日」を指定し、複数年を示す何「年分」を指定することにより、複数年のそれぞれが示す年と日付が示す月日とを組み合わせたそれぞれの年月日を発行日として指定したことになる。例えば、１つの日付を示す「年」、「月」、「日」として“２０１４年８月１２日”を指定し、複数年を示す「年分」として“３”を指定した場合、“２０１４年８月１２日”、“２０１５年８月１２日”、“２０１５年８月１２日”を指定したことになる。
なお、ユーザが行う「２．記念日の入力」の操作は、プルダウンメニューに示される複数の候補の中から選択する操作に限定するものではない。例えば、ユーザが行う「２．記念日の入力」の操作は、キーボードをタイプして複数の入力欄のそれぞれに１つの日付を打ち込む操作により複数の日付が示す記念日を指定するものであってもよい。また、例えば、ユーザが行う「２．記念日の入力」の操作は、所定のファイル形式のファイルから成る注文シートをダウンロードし、ダウンロードしたファイルに複数の日付を打ち込み、複数の日付を打ち込んだファイルをアップロードするものであってもよい。なお、所定のファイル形式のファイルは、例えば、データをカンマや改行で区切って並べたテキスト形式のファイルの１つであるＣＳＶ形式のファイルである。
【００４６】
図７（３）の受付画面は、ユーザが行う注文の主な操作である「３．紙面の確認の入力」を行う画面である。図７（３）の受付画面でユーザが行う「３．紙面の確認の入力」の操作は、記念日新聞に係るサービスの商品に使用する紙面を特定するための操作である。例えば、ユーザが行う「３．紙面の確認の入力」の操作は、図７（３）に示すように、「紙面における記事の内容を確認し、記念日新聞に使用する紙面を選択してください」という表示の近傍に、紙面を得点によって示された選択可能な紙面のサンプルを表示し、それらのサンプル毎に設けられたチェックボックスを選択するものである。
なお、ユーザが行う「３．紙面の確認の入力」の操作は、サンプル毎に設けられたチェックボックスを選択することにより行うものに限定するものではない。例えば、ユーザは、マウスを介して紙面のサンプルを直接的に選択するものであってもよい。
【００４７】
図８（４）の受付画面は、ユーザが行う注文の主な操作である「４．表紙の色の入力」を行う画面である。図８（４）の受付画面でユーザが行う「４．表紙の色の入力」の操作は、記念日新聞に係るサービスの商品の表紙の色を指定するための操作である。例えば、ユーザが行う「４．表紙の色の入力」の操作は、図８（４）に示すように、「表紙の色を選択してください」という表示の近傍に、選択可能な色の表紙のサンプルを表示し、それらのサンプル毎に設けられたチェックボックスを選択するものである。
なお、ユーザが行う「４．表紙の色の入力」の操作は、サンプル毎に設けられたチェックボックスを選択することにより行うものに限定するものではない。例えば、ユーザは、マウスを介して表紙のサンプルを直接的に選択するものであってもよい。
【００４８】
図８（５）の受付画面は、ユーザが行う注文の主な入力である「５．表紙に印字するタイトル・氏名の入力」を行う画面である。図８（５）の受付画面でユーザが行う「５．表紙に印字するタイトル・氏名の入力」の操作は、記念日新聞に係るサービスの商品の表紙に印字するタイトル及び氏名を指定するための操作である。例えば、ユーザが行う「５．表紙に印字するタイトル・氏名の入力」の操作は、図８（５）に示すように、「表紙に印字するタイトル・お名前を入力してください」という表示の近傍に表示されたプルダウンメニューに示される既定のタイトルを選択する、または、「表紙に印字するタイトル・お名前を入力してください」という表示の近傍に表示された入力欄に任意の文字列を打ち込むものである。また、ユーザが行う「５．表紙に印字するタイトル・氏名の入力」の操作は、タイトルなしのチェックボックスを選択することにより行うこともでき、この場合、表紙にタイトルを印字しない。また、ユーザが行う「５．表紙に印字するタイトル・氏名の入力」の操作は、図８（５）に示すように、「表紙に印字するタイトル・お名前を入力してください」という表示の近傍に表示された入力欄に任意の文字列を打ち込み、プルダウンメニューに示される複数の敬称の中から１つを選択することにより行うものである。
なお、ユーザが行う「５．表紙に印字するタイトル・氏名の入力」の操作は、上述のタイトルの入力や氏名の入力に限定するものではない。例えば、ユーザは、キーボードをタイプしてタイトル及び氏名を印字するフォントサイズを変更し、入力欄に任意の文字列を打ち込むものであってもよい。
【００４９】
図８（６）の受付画面は、ユーザが行う注文の主な操作である「６．オプション選択の入力」を行う画面である。図８（６）の受付画面でユーザが行う「６．オプション選択の入力」の操作は、記念日新聞に係るサービスの商品のオプションを指定するための操作である。例えば、ユーザが行う「６．オプション選択の入力」の操作は、図８（６）に示すように、「オプション選択」という表示の近傍に表示された種々のオプションの入力欄に必要な数量の数字を打ち込むものである。
例えば、オプションは、新聞文字を見やすくするルーペやプレゼント用の袋などである。また、オプションは、記念日新聞の記事における写真や氏名を贈り先の人物の写真や氏名に変更するものや、記念日新聞における文字を拡大印刷するものであってもよい。
【００５０】
なお、図７及び図８に示す受付画面は、新聞情報出力装置１が備える受付画面データ生成部１６が生成した受付画面の画面データに基づいて、発注端末４０が表示部７０に表示させる受付画面である。例えば、受付画面データ生成部１６が生成し受付画面データ記憶部１７に記録した受付画面の画面データは、ＨＴＭＬの情報リソースである。発注端末４０は、新聞情報出力装置１からＨＴＭＬの情報リソースを取得し、ウェブブラウザによって表示部７０に受付画面を表示させる。
発注端末４０は、ユーザの受付画面への操作により取得した情報を新聞情報出力装置１に送信する。新聞情報出力装置１が備える受付画面データ生成部１６は、発注端末４０から情報を受信すると、受信した情報に基づいて新規の受付画面の画面データを生成する。そして、受付画面データ生成部１６は、生成した新規の受付画面の画面データを受付画面データ記憶部１７に記録する。ここで、受付画面データ生成部１６が受付画面データ記憶部１７に記録した受付画面の画面データは、ＨＴＭＬの情報リソースである。発注端末４０は、新聞情報出力装置１からＨＴＭＬの情報リソースを取得し、ウェブブラウザによって表示部７０に受付画面を表示させる。このとき、表示部７０が表示する受付画面は、取得した情報が反映された新規の受付画面である。
【００５１】
次に、図９に示す受付画面での操作の支援について説明する。
図９に示す受付画面での操作の支援は、受付画面において現在どの項目に対してそのような操作を行えばよいかを例示するものである。この支援は、受付画面データ記憶部１７が記憶する画面データにより新聞情報出力装置１が行う支援である。例えば、受付画面データ記憶部１７は、図９に示すように、「２．記念日の入力」の操作を行う受付画面に「ここをクリックしてください」などの文字を表示する画面データを記憶する。また、受付画面データ記憶部１７は、ユーザによるクリック操作後に受付画面に表示される複数の候補から選択するイメージを選択例として表示する画面データを記憶する。
なお、受付画面での操作の支援は、図９に示すような表示に限定するものではない。例えば、受付画面での操作の支援は、受付画面データ記憶部１７が音声データを記憶し、音声により操作を支援するものであってもよい。また、受付画面での操作の支援は、受付画面データ記憶部１７が動画データを記憶し、動画で受付画面での操作の例を示すことにより支援するものであってよい。また、受付画面での操作の支援は、受付画面データ記憶部１７が警告を表示する画面データを記憶し、データが削除される場合などに警告を表示することにより操作を支援するものであってもよい。
【００５２】
次に、図１０に示す受付画面での操作に基づき作製される記念日新聞に係るサービスの商品のイメージの表示について説明する。
記念日新聞に係るサービスの商品のイメージの表示は、図７及び図８で示したような受付画面における入力が完了した後に、受付画面での操作に基づき作製される商品のイメージの表示である。例えば、受付画面における操作が完了すると、図１０に示すように、現在の入力内容の一覧が表示される。ここで、商品タイプの項目に表示されている商品のサムネールをクリックすると、商品のイメージが表示される。例えば、商品のサムネールをクリックすると、表紙の色・タイトル・氏名、製本の最初から数ページ、オプションなどサムネールが表示され、それぞれを拡大表示することで、ユーザは、現在の入力内容を視覚的に把握することができる。
【００５３】
次に、受発注システム３における新聞情報出力装置１の処理について説明する。
ここでは、図１１及び図１２に示す新聞情報出力装置１の処理フローについて説明する。
なお、新聞情報出力装置１が備える受付画面データ記憶部１７は、記念日新聞に係るサービスの注文サイトの受付画面データを記憶しているものとする（ステップＳ１）。
【００５４】
発注端末４０は、ユーザ操作により記念日新聞に係るサービスの注文サイトにアクセスする。発注端末４０は、新聞情報出力装置１が備える受付画面データ記憶部１７からＨＴＭＬの情報リソース（受付画面データ）を取得する。発注端末４０は、取得した情報リソースをウェブブラウザによって表示部７０に表示させる。ここで、記念日新聞に係るサービスが複数ある場合、ユーザは複数のサービスから１つを指定する操作を発注端末４０に対して行う。発注端末４０は、受付画面データ記憶部１７からＨＴＭＬの情報リソース（受付画面データ）を取得する。発注端末４０は、取得した情報リソースをウェブブラウザによって表示部７０に表示させる。なお、以下では、発注端末４０が表示部７０に受付画面を表示させる際に行う、ＨＴＭＬの情報リソース（受付画面データ）の取得についての記述は省略する。
【００５５】
発注端末４０は、ユーザ操作により注文サイトの受付画面を表示部７０に表示させる。表示部７０が表示する受付画面は、例えば、図７及び図８で示した受付画面である。
【００５６】
ユーザは、「１．新聞社の入力」を行う操作を発注端末４０に対して行う。例えば、ユーザは、図７（１）に示す「ご希望の新聞社をお選びください」という表示の近傍に表示されたプルダウンメニューに示される複数の新聞社の中から１つの新聞社を選択する操作を発注端末４０に対して行う。例えば、ユーザは、プルダウンメニューに示されるＡ社、Ｂ社、Ｃ社の中からＡ社を選択する操作を発注端末４０に対して行う。なお、受付画面データ記憶部１７が記憶している受付画面データは、ユーザがプルダウンメニューから新聞社を選択する際に操作を支援するためのデータを含んでいてもよい。ユーザがプルダウンメニューから新聞社を選択する際に操作を支援するためのデータを受付画面データが含んでいる場合、発注端末４０は、表示部７０に操作を支援する表示を受付画面に表示させる。
これにより、ユーザは現在操作すべき項目を把握することができ、容易に発注の操作を行うことができる。
【００５７】
発注端末４０は、新聞社を選択するユーザ操作に応じた新聞社選択情報をネットワーク６０を介して受注システム５０に送信する。例えば、新聞社選択情報はＨＴＭＬのデータであり、ユーザがプルダウンメニューに示されるＡ社を選択する操作を発注端末４０に対して行った場合、新聞社選択情報はＡ社を選択したことを示す情報を含んでいる。
【００５８】
受注システム５０が発注端末４０から新聞社選択情報を受信すると（ステップＳ２）、受注システム５０が備える新聞情報出力装置１の注文受付結果読取部２０は、新聞社選択情報に含まれる情報に基づいて、ユーザが選択した新聞社を読み取る（ステップＳ３）。例えば、注文受付結果読取部２０は、新聞社選択情報に含まれる情報に基づいて、ユーザが選択した新聞社をＡ社と読み取る。注文受付結果読取部２０は、読み取った新聞社（Ａ社）を注文受付結果記憶部２２に記録する。また、注文受付結果読取部２０は、読み取った新聞社（Ａ社）を受付画面データ生成部１６に出力する。
【００５９】
受付画面データ生成部１６は、注文受付結果読取部２０から新聞社（Ａ社）を取得すると、取得した新聞社（Ａ社）に基づいて、受付画面データを生成する（ステップＳ４）。ここで、受付画面データ生成部１６が生成する受付画面データは、図７（１）の受付画面において新聞社（Ａ社）を選択したことを示すデータである。
受付画面データ生成部１６は、生成した受付画面データを受付画面データ記憶部１７が記憶する受付画面データに上書き保存する。
【００６０】
発注端末４０は、受付画面データ記憶部１７からＨＴＭＬの情報リソース（受付画面データ）を定期的に取得している。そのため、発注端末４０は、受付画面データ生成部１６が生成した受付画面データを受付画面データ記憶部１７の記憶する受付画面データに上書き保存した後に取得した情報リソースをウェブブラウザによって表示部７０に表示させると、表示部７０は、ユーザが選択した新聞社（Ａ社）を表示する。
なお、ユーザが発注端末４０に対して新聞社（Ａ社）を選択する操作を行ってから表示部７０がユーザの選択した新聞社（Ａ社）を表示するまでの時間は、一瞬と感じられる程度に短い時間である。
【００６１】
次に、ユーザは、「２．記念日の入力」を行う操作を発注端末４０に対して行う。例えば、ユーザは、図７（２）に示す「ご希望の日付を入力してください」という表示の近傍に表示されたプルダウンメニューに示される「年」を複数の候補の中から選択する操作を発注端末４０に対して行う。例えば、ユーザは、プルダウンメニューに示される１８８８／明治２１を選択する操作を発注端末４０に対して行う。
【００６２】
発注端末４０は、「年」を選択するユーザ操作に応じた年選択情報をネットワーク６０を介して受注システム５０に送信する。
【００６３】
受注システム５０が発注端末４０から年選択情報を受信すると（ステップＳ５）、受注システム５０が備える新聞情報出力装置１の注文受付結果読取部２０は、年選択情報に含まれる情報に基づいて、ユーザが選択した「年」を読み取る（ステップＳ６）。例えば、注文受付結果読取部２０は、年選択情報に含まれる情報に基づいて、ユーザが選択した「年」“１８８８／明治２１”を読み取る。注文受付結果読取部２０は、読み取った「年」を注文受付結果記憶部２２に記録する。また、注文受付結果読取部２０は、読み取った「年」“１８８８／明治２１”を受付画面データ生成部１６に出力する。
【００６４】
受付画面データ生成部１６は、注文受付結果読取部２０から読み取った「年」“１８８８／明治２１”を取得すると、取得した「年」“１８８８／明治２１”に基づいて、受付画面データを生成する。ここで、受付画面データ生成部１６が生成する受付画面データは、図７（２）の受付画面において「年」“１８８８／明治２１”を選択したことを示すデータである。
受付画面データ生成部１６は、生成した受付画面データを受付画面データ記憶部１７が記憶する受付画面データに上書き保存する。
【００６５】
発注端末４０は、受付画面データ生成部１６が生成した受付画面データを受付画面データ記憶部１７の記憶する受付画面データに上書き保存した後に取得した情報リソースをウェブブラウザによって表示部７０に表示させる。表示部７０は、ユーザが選択した「年」“１８８８／明治２１”を表示する。
【００６６】
次に、ユーザは、図７（２）に示す「ご希望の日付を入力してください」という表示の近傍に表示されたプルダウンメニューに示される「月」を複数の候補の中から選択する操作を発注端末４０に対して行う。例えば、ユーザは、プルダウンメニューに示される１を選択する操作を発注端末４０に対して行う。
【００６７】
発注端末４０は、「月」を選択するユーザ操作に応じた月選択情報をネットワーク６０を介して受注システム５０に送信する。
【００６８】
受注システム５０が発注端末４０から月選択情報を受信すると（ステップＳ７）、受注システム５０が備える新聞情報出力装置１の注文受付結果読取部２０は、月選択情報に含まれる情報に基づいて、ユーザが選択した「月」を読み取る（ステップＳ８）。例えば、注文受付結果読取部２０は、月選択情報に含まれる情報に基づいて、ユーザが選択した「月」“１”を読み取る。注文受付結果読取部２０は、読み取った「月」を注文受付結果記憶部２２に記録する。また、注文受付結果読取部２０は、読み取った「月」“１”を受付画面データ生成部１６に出力する。
【００６９】
受付画面データ生成部１６は、注文受付結果読取部２０から「月」“１”を取得すると、取得した「月」“１”に基づいて、受付画面データを生成する。ここで、受付画面データ生成部１６が生成する受付画面データは、図７（２）の受付画面において「月」“１”を選択したことを示すデータである。
受付画面データ生成部１６は、生成した受付画面データを受付画面データ記憶部１７が記憶する受付画面データに上書き保存する。
【００７０】
発注端末４０は、受付画面データ生成部１６が生成した受付画面データを受付画面データ記憶部１７の記憶する受付画面データに上書き保存した後に取得した情報リソースをウェブブラウザによって表示部７０に表示させる。表示部７０は、ユーザが選択した「月」“１”を表示する。
【００７１】
次に、ユーザは、図７（２）に示す「ご希望の日付を入力してください」という表示の近傍に表示されたプルダウンメニューに示される「日」を複数の候補の中から選択する操作を発注端末４０に対して行う。例えば、ユーザは、プルダウンメニューに示される１７を選択する操作を発注端末４０に対して行う。
【００７２】
発注端末４０は、「日」を選択するユーザ操作に応じた日選択情報をネットワーク６０を介して受注システム５０に送信する。
【００７３】
受注システム５０が発注端末４０から日選択情報を受信すると（ステップＳ９）、受注システム５０が備える新聞情報出力装置１の注文受付結果読取部２０は、日選択情報に含まれる情報に基づいて、ユーザが選択した「日」を読み取る（ステップＳ１０）。例えば、注文受付結果読取部２０は、日選択情報に含まれる情報に基づいて、ユーザが選択した「日」“１７”を読み取る。この時点で、注文受付結果読取部２０は、日付（年月日）を“１８８８／明治２１年１月１７日”と読み取ったことになる。注文受付結果読取部２０は、読み取った「日」を注文受付結果記憶部２２に記録する。また、注文受付結果読取部２０は、読み取った「日」“１７”を受付画面データ生成部１６に出力する。
【００７４】
受付画面データ生成部１６は、注文受付結果読取部２０から読み取った「日」“１７”を取得すると、取得した「日」“１７”に基づいて、受付画面データを生成する。ここで、受付画面データ生成部１６が生成する受付画面データは、図７（２）の受付画面において「日」“１７”を選択したことを示すデータである。
受付画面データ生成部１６は、生成した受付画面データを受付画面データ記憶部１７が記憶する受付画面データに上書き保存する。
【００７５】
発注端末４０は、受付画面データ生成部１６が生成した受付画面データを受付画面データ記憶部１７の記憶する受付画面データに上書き保存した後に取得した情報リソースをウェブブラウザによって表示部７０に表示させる。表示部７０は、ユーザが選択した「日」“１７”を表示する。
【００７６】
次に、ユーザは、図７（２）に示す「ご希望の日付を入力してください」という表示の近傍に表示されたプルダウンメニューに示される「年分」を複数の候補の中から選択する操作を発注端末４０に対して行う。この「年分」とは、上記「年」を１年目として数年分連続してまとめて指定するメニューである。例えば、ユーザは、プルダウンメニューに示される“３”を選択する操作を発注端末４０に対して行う。上記「年」が“１８８８／明治２１”である場合、“１８８８／明治２１”、“１８８９／明治２２”、“１８９０／明治２３”の“３”「年分」が連続してまとめて指定される。
【００７７】
発注端末４０は、「年分」を選択するユーザ操作に応じた年分選択情報をネットワーク６０を介して受注システム５０に送信する。
【００７８】
受注システム５０が発注端末４０から年分選択情報を受信すると（ステップＳ１１）、受注システム５０が備える新聞情報出力装置１の注文受付結果読取部２０は、年分選択情報に含まれる情報に基づいて、ユーザが選択した「年分」を読み取る（ステップＳ１２）。例えば、注文受付結果読取部２０は、年分選択情報に含まれる情報に基づいて、ユーザが選択した「年分」“３”を読み取る。この時点で、注文受付結果読取部２０は、年分を含めた日付（年月日）を“１８８８／明治２１年１月１７日”、“１８８９／明治２２年１月１７日”、“１８９０／明治２３年１月１７日”と読み取ったことになる。注文受付結果読取部２０は、読み取った「年分」を注文受付結果記憶部２２に記録する。また、注文受付結果読取部２０は、読み取った「年分」“３”を受付画面データ生成部１６に出力する。また、注文受付結果読取部２０は、年分を含めた日付（年月日）“１８８８／明治２１年１月１７日”、“１８８９／明治２２年１月１７日”、“１８９０／明治２３年１月１７日”を日付判定部２４に出力する。
【００７９】
受付画面データ生成部１６は、注文受付結果読取部２０が読み取った「年分」“３”を取得すると、取得した「年分」“３”に基づいて、受付画面データを生成する。ここで、受付画面データ生成部１６が生成する受付画面データは、図７（２）の受付画面において「年分」“３”を選択したことを示すデータである。
受付画面データ生成部１６は、生成した受付画面データを受付画面データ記憶部１７が記憶する受付画面データに上書き保存する。
【００８０】
発注端末４０は、受付画面データ生成部１６が生成した受付画面データを受付画面データ記憶部１７の記憶する受付画面データに上書き保存した後に取得した情報リソースをウェブブラウザによって表示部７０に表示させる。表示部７０は、ユーザが選択した「年分」“３”を表示する。
【００８１】
また、日付判定部２４は、注文受付結果読取部２０から日付（年月日）“１８８８／明治２１年１月１７日”、“１８８９／明治２２年１月１７日”、“１８９０／明治２３年１月１７日”を取得すると、紙面情報記憶部１２が記憶するデータテーブルＴＢＬ１を読み出す。例えば、紙面情報記憶部１２が記憶するデータテーブルＴＢＬ１は、図４に示したデータテーブルＴＢＬ１である。日付判定部２４は、“１８８８／明治２１年１月１７日”とデータテーブルＴＢＬ１における日付（年月日）とを比較する。日付判定部２４は、データテーブルＴＢＬ１において“１８８８／明治２１年１月１７日”と一致する日付を読み取る。そして、日付判定部２４は、データテーブルＴＢＬ１において読み取った日付に対応する朝刊発行フラグが「１」であるか「０」であるかを判定する（ステップＳ１３）。
【００８２】
日付判定部２４は、読み取った日付に対応する朝刊発行フラグが「１」であると判定した場合（ステップＳ１３、「１」）、紙面情報記憶部１２が記憶するデータテーブルＴＢＬ２を読み出し、その朝刊発行フラグ「１」に対応する紙面情報識別番号を記憶部３０に記録する（ステップＳ１４）。
また、日付判定部２４は、読み取った日付に対応する朝刊発行フラグが「０」であると判定した場合（ステップＳ１３、「０」）、読み取った日付に対応する夕刊発行フラグが「１」であるか「０」であるかを判定する（ステップＳ１５）。
【００８３】
日付判定部２４は、読み取った日付に対応する夕刊発行フラグが「１」であると判定した場合（ステップＳ１５、「１」）、ステップＳ１４の処理により、紙面情報記憶部１２が記憶するデータテーブルＴＢＬ２を読み出し、その夕刊発行フラグ「１」に対応する紙面情報識別番号を記憶部３０に記録する。
また、日付判定部２４は、読み取った日付に対応する夕刊発行フラグが「０」であると判定した場合（ステップＳ１５、「０」）、読み取った日付に１日加える（ステップＳ１６）。そして、日付判定部２４は、読み取った日付に１日加えた日付がデータテーブルＴＢＬ１に記録されている新聞の直近の日付を越えたか否かを判定する（ステップＳ１７）。
【００８４】
日付判定部２４は、ステップＳ１４の処理により紙面情報識別番号を記憶部３０に記録した場合、または、読み取った日付に１日加えた日付がデータテーブルＴＢＬ１に記録されている新聞の直近の日付を越えたと判定した場合（ステップＳ１７、ＹＥＳ）、注文受付結果読取部２０から取得したほかの日付（年月日）が有るか否かを判定する（ステップＳ１８）。例えば、日付判定部２４の注文受付結果読取部２０から取得した日付が“１８８８／明治２１年１月１７日”、“１８８９／明治２２年１月１７日”、“１８９０／明治２３年１月１７日”である場合、取得した日付の数Ｎは“３”である。日付判定部２４は、このＮからステップＳ１８の判定を行う毎に１を減算し、次回のステップＳ１８での判定時にその減算結果が０であった場合に、注文受付結果読取部２０から取得したほかの日付は無いと判定する（ステップＳ１８、ＮＯ）。すなわち、日付判定部２４は、取得した日付の全てに対して対応する紙面情報識別番号を記録する処理を行ったと判定する。
【００８５】
また、日付判定部２４は、注文受付結果読取部２０から取得したほかの日付（年月日）が有ると判定した場合（ステップＳ１８、ＹＥＳ）、または、読み取った日付に１日加えた日付がデータテーブルＴＢＬ１に記録されている新聞の直近の日付を越えていないと判定した場合（ステップＳ１７、ＮＯ）と判定した場合、ステップＳ１３の処理に戻す。
【００８６】
日付判定部２４がステップＳ１８の処理においてほかの日付は無いと判定した場合（ステップＳ１８、ＮＯ）、新聞紙面判定部２６は、日付判定部２４が記憶部３０に記録した紙面情報識別番号に基づいて、紙面情報記憶部１２に記憶されていると日付判定部２４が判定した日付の新聞の紙面の得点を算出する（ステップＳ１９）。具体的には、新聞紙面判定部２６は、記憶部３０から日付判定部２４が記録した紙面情報識別番号を読み出す。また、新聞紙面判定部２６は、紙面得点データ記憶部１８からデータテーブルＴＢＬ３を読み出す。新聞紙面判定部２６は、データテーブルＴＢＬ３において、読み出した紙面情報識別番号と一致する紙面情報識別番号を特定する。新聞紙面判定部２６は、データテーブルＴＢＬ３において特定した紙面情報識別番号に対応するキーワードを特定する。例えば、データテーブルＴＢＬ３が図５で示したデータテーブルであり、紙面情報識別番号が“ｍ１８８８０１１７”である場合、新聞紙面判定部２６は、紙面情報識別番号“ｍ１８８８０１１７”に対応するキーワードをキーワードＡと特定する。新聞紙面判定部２６は、初期設定として定められた男女別、年代別、年毎、月毎、日毎、家族構成別、地域別、趣味別、年収別、及び、それらの可能な組み合わせのうちの１つに対応するデータテーブル４を紙面得点データ記憶部１８から読み出す。新聞紙面判定部２６は、データテーブルＴＢＬ４において、データテーブルＴＢＬ３において特定したキーワードと一致するキーワードを特定する。例えば、キーワードがＡであり、初期設定として年代別が定められていた場合、新聞紙面判定部２６は、紙面情報識別番号に対応する日付がデータテーブルＴＢＬ４における各年代のうちどの年代に対応するかを特定する。より具体的には、紙面情報識別番号に対応する日付が“１８８８／明治２１年１月１７日”であり、データテーブル４が図６で示したデータテーブルである場合、新聞紙面判定部２６は、データテーブル４において“１８８８／明治２１年１月１７日”が明治であると特定する。そして、新聞紙面判定部２６は、特定した明治においてキーワードＤの得点を女性０点、男性０点と特定する。
【００８７】
新聞紙面判定部２６は、記事の得点を受付画面データ生成部１６に出力する。例えば、新聞紙面判定部２６は、“１８８８／明治２１年１月１７日”の新聞の特定した明治においてキーワードＡの得点を女性０点、男性０点を受付画面データ生成部１６に出力する。
【００８８】
受付画面データ生成部１６は、新聞紙面判定部２６から記事の得点を取得すると、取得した得点と、日付判定部２４が記憶部３０に記録した紙面情報識別番号とに基づいて、例えば図７（３）に示すような受付画面を表示する受付画面データを生成する（ステップＳ２０）。具体的には、受付画面データ生成部１６は、記憶部３０から日付判定部２４が記録した紙面情報識別番号を読み出す。また、受付画面データ生成部１６は、紙面得点データ記憶部１８からデータテーブルＴＢＬ３を読み出す。受付画面データ生成部１６は、データテーブルＴＢＬ３において、読み出した紙面情報識別番号と一致する紙面情報識別番号を特定する。受付画面データ生成部１６は、データテーブルＴＢＬ３において特定した紙面情報識別番号に対応するサムネールデータを受付画面に表示する受付画面データを生成する。また、受付画面データ生成部１６は、男女別、年代別、年毎、月毎、日毎、家族構成別、地域別、趣味別、年収別、及び、それらの可能な組み合わせを特定するための受付画面に表示する受付画面データを生成する。また、受付画面データ生成部１６は、初期設定として定められた男女別、年代別、年毎、月毎、日毎、家族構成別、地域別、趣味別、年収別、及び、それらの可能な組み合わせのうちの１つについて新聞紙面判定部２６が算出した記事の内容の得点を受付画面に表示する受付画面データを生成する。このとき、受付画面データ生成部１６は、記事の内容の得点のうち所定の得点以下の記事をサムネール上に表示させる受付画面データを生成する。具体的には、受付画面データ生成部１６は、新聞紙面判定部２６から対象としている紙面情報識別番号とそれぞれの紙面における記事の見出しに使用されているキーワードに対して算出した得点とを取得する。受付画面データ生成部１６は、新聞紙面判定部２６から取得した得点と、新聞紙面判定部２６から取得した得点が高いか低いかを判定するために定めた所定の得点とを比較する。受付画面データ生成部１６は、所定の得点以下である新聞紙面判定部２６が算出した得点を特定する。受付画面データ生成部１６は、特定した所定の得点以下である新聞紙面判定部２６が算出した得点の記事の見出しに使用されているキーワードを特定する。受付画面データ生成部１６は、紙面得点データ記憶部１８からデータテーブルＴＢＬ３を読み出し、データテーブルＴＢＬ３において、対象としている紙面情報識別番号と特定したキーワードとに対応する、サムネールデータと紙面における座標とを特定する。受付画面データ生成部１６は、特定したサムネールデータにおいて特定した紙面における座標に対応する箇所を、所定の得点以下の記事の見出しが記載されている箇所と特定し、受付画面のサムネールにおいて赤枠などを表示させることによりユーザに報知する。
【００８９】
なお、新聞紙面判定部２６は、ユーザによる、男女別、年代別、年毎、月毎、日毎、家族構成別、地域別、趣味別、年収別、及び、それらの可能な組み合わせを指定する操作、すなわち、記事の得点を算出得点を算出する際の条件を変更する操作を受け付けている（ステップＳ２２）。ユーザが、男女別、年代別、年毎、月毎、日毎、家族構成別、地域別、趣味別、年収別、及び、それらの可能な組み合わせを指定すると、新聞紙面判定部２６は、ユーザが指定した組み合わせに対して、改めて記事の得点を算出する（ステップＳ２３）。また、受付画面データ生成部１６は、判定結果と、日付判定部２４が記憶部３０に記録した紙面情報識別番号とに基づいて、受付画面を表示する受付画面データを生成する。
これによりユーザは、男女別、年代別、年毎、月毎、日毎、家族構成別、地域別、趣味別、年収別、及び、それらの可能な組み合わせのそれぞれについての得点を確認することができる。
【００９０】
ここで、ユーザは、得点を確認し、新聞（第１の新聞）の紙面をそのままにするか差し替えるかを決定し、例えば図７（３）で示した受付画面において、各新聞の紙面に対して「そのまま」、または、「差し替え」を選択する操作を行う。
新聞紙面判定部２６は、ユーザによる「差し替え」を選択する操作があるか否かを判定する（ステップＳ２１）。
【００９１】
新聞紙面判定部２６は、１つでも「差し替え」が選択された場合、ユーザによる「差し替え」を選択する操作があったと判定し（ステップＳ２１、ＹＥＳ）、「差し替え」が選択された新聞（第１の新聞）の日付の前後の日のうち、初期設定として定められた男女別、年代別、年毎、月毎、日毎、家族構成別、地域別、趣味別、年収別、及び、それらの可能な組み合わせのうちの１つについて記事の内容の得点の高い新聞の紙面を特定する。具体的には、新聞紙面判定部２６は、「差し替え」が選択された新聞の紙面情報識別番号の前後いくつかの紙面情報識別番号の新聞（例えば、前後５つの紙面情報識別番号の新聞）に対して記事の内容の得点を算出する。新聞紙面判定部２６は、算出した得点の高い新聞（第２の新聞）の紙面を「差し替え」の候補として受付画面データ生成部１６に出力する。
【００９２】
受付画面データ生成部１６は、新聞紙面判定部２６から「差し替え」の候補の紙面情報識別番号を取得する。受付画面データ生成部１６は、「差し替え」の候補の紙面に対しても、記事の内容の得点のうち所定の得点以下の記事をサムネール上に表示させる受付画面データを生成する。
【００９３】
なお、ここでも、新聞紙面判定部２６は、ユーザによる、男女別、年代別、年毎、月毎、日毎、家族構成別、地域別、趣味別、年収別、及び、それらの可能な組み合わせを指定する操作、すなわち、記事の得点を算出する際の条件を変更する操作を受け付ける。ユーザが、男女別、年代別、年毎、月毎、日毎、家族構成別、地域別、趣味別、年収別、及び、それらの可能な組み合わせを指定すると、新聞紙面判定部２６は、ユーザが指定した組み合わせに対して、「差し替え」を選択した新聞の紙面における記事の得点を算出する。そして、新聞紙面判定部２６は、ステップＳ２１の処理に戻す。
【００９４】
新聞紙面判定部２６は、１つも「差し替え」が選択されない場合、ユーザによる「差し替え」を選択する操作が行われなかったと判定し（ステップＳ２１、ＮＯ）、ユーザによる「そのまま」を選択する操作が行われた新聞の紙面の紙面情報識別番号を記憶部３０に記録する。
【００９５】
次に、ユーザは、図８（４）に示す「表紙の色を選択してください」という表示の近傍に表示された複数の色の表紙のサンプルの中から選択する操作を発注端末４０に対して行う。例えば、ユーザは、表紙のサンプルの中からオレンジを選択する操作を発注端末４０に対して行う。
【００９６】
発注端末４０は、表紙のサンプルの中からオレンジを選択するユーザ操作に応じた表紙選択情報をネットワーク６０を介して受注システム５０に送信する。
【００９７】
受注システム５０が発注端末４０から表紙選択情報を受信すると（ステップＳ２４）、受注システム５０が備える新聞情報出力装置１の注文受付結果読取部２０は、表紙選択情報に含まれる情報に基づいて、ユーザが選択した表紙の色を読み取る（ステップＳ２５）。例えば、注文受付結果読取部２０は、表紙選択情報に含まれる情報に基づいて、ユーザが選択した表紙の色であるオレンジを読み取る。注文受付結果読取部２０は、読み取った表紙の色を注文受付結果記憶部２２に記録する。また、注文受付結果読取部２０は、読み取った表紙の色であるオレンジを受付画面データ生成部１６に出力する。
【００９８】
受付画面データ生成部１６は、注文受付結果読取部２０から表紙の色であるオレンジを取得すると、取得した表紙の色であるオレンジに基づいて、受付画面データを生成する。ここで、受付画面データ生成部１６が生成する受付画面データは、図８（４）の受付画面においてオレンジを選択したことを示すデータである。
受付画面データ生成部１６は、生成した受付画面データを受付画面データ記憶部１７が記憶する受付画面データに上書き保存する。
【００９９】
発注端末４０は、受付画面データ生成部１６が生成した受付画面データを受付画面データ記憶部１７の記憶する受付画面データに上書き保存した後に取得した情報リソースをウェブブラウザによって表示部７０に表示させる。表示部７０は、ユーザが選択した表紙の色であるオレンジを表示する。
【０１００】
次に、ユーザは、図８（５）に示す「表紙に印字するタイトル・お名前を入力してください」という表示の近傍に表示されたプルダウンメニューに示される既定のタイトルを選択する、または、「表紙に印字するタイトル・お名前を入力してください」という表示の近傍に表示された入力欄に任意の文字列を打ち込む操作を発注端末４０に対して行う。なお、ユーザは、タイトルなしのチェックボックスを選択し、タイトルを印字しない選択を行うことも可能である。
【０１０１】
発注端末４０は、ユーザによるタイトルと氏名を指定するユーザ操作に応じたタイトル・氏名指定情報をネットワーク６０を介して受注システム５０に送信する。
【０１０２】
受注システム５０が発注端末４０からタイトル・氏名指定情報を受信すると（ステップＳ２６）、受注システム５０が備える新聞情報出力装置１の注文受付結果読取部２０は、タイトル・氏名指定情報に含まれる情報に基づいて、ユーザが指定したタイトルと氏名を読み取る（ステップＳ２７）。例えば、注文受付結果読取部２０は、タイトル・氏名指定情報に含まれる情報に基づいて、ユーザが指定した「記念日」というタイトルと「新聞太郎」という氏名を読み取る。注文受付結果読取部２０は、読み取ったタイトルと氏名を注文受付結果記憶部２２に記録する。また、注文受付結果読取部２０は、読み取ったタイトルと氏名を受付画面データ生成部１６に出力する。
【０１０３】
受付画面データ生成部１６は、注文受付結果読取部２０から読み取ったタイトルと氏名を取得すると、取得したタイトルと氏名に基づいて、受付画面データを生成する。ここで、受付画面データ生成部１６が生成する受付画面データは、図１０に示した（表紙）を示すデータである。
受付画面データ生成部１６は、生成した受付画面データを受付画面データ記憶部１７が記憶する受付画面データに上書き保存する。
【０１０４】
発注端末４０は、受付画面データ生成部１６が生成した受付画面データを受付画面データ記憶部１７の記憶する受付画面データに上書き保存した後に取得した情報リソースをウェブブラウザによって表示部７０に表示させる。表示部７０は、ユーザが指定したタイトルと氏名を表示する。
【０１０５】
次に、ユーザは、図８（６）に示す「オプション選択」という表示の近傍に表示された種々のオプションの入力欄に必要な数量の数字を打ち込む操作を発注端末４０に対して行う。なお、オプションは、新聞文字を見やすくするルーペやプレゼント用の袋などである。また、オプションは、記念日新聞の記事における写真や氏名を贈り先の人物の写真や氏名に変更するものや、記念日新聞における文字を拡大印刷するものであってもよい。
【０１０６】
発注端末４０は、ユーザによるオプションを指定するユーザ操作に応じたオプション指定情報をネットワーク６０を介して受注システム５０に送信する。
【０１０７】
受注システム５０が発注端末４０からオプション指定情報を受信すると（ステップＳ２８）、受注システム５０が備える新聞情報出力装置１の注文受付結果読取部２０は、オプション指定情報に含まれる情報に基づいて、ユーザが指定したオプションを読み取る（ステップＳ２９）。例えば、注文受付結果読取部２０は、オプション指定情報に含まれる情報に基づいて、ユーザが指定した「ルーペ」のオプションを読み取る。注文受付結果読取部２０は、読み取ったオプションを注文受付結果記憶部２２に記録する。また、注文受付結果読取部２０は、読み取ったオプションを受付画面データ生成部１６に出力する。
【０１０８】
受付画面データ生成部１６は、注文受付結果読取部２０からオプションを取得すると、取得したオプションに基づいて、受付画面データを生成する。ここで、受付画面データ生成部１６が生成する受付画面データは、図１０に示した（オプション）を示すデータである。
受付画面データ生成部１６は、生成した受付画面データを受付画面データ記憶部１７が記憶する受付画面データに上書き保存する。
【０１０９】
発注端末４０は、ステップＳ３０の処理の後に取得した情報リソースをウェブブラウザによって表示部７０に表示させる。表示部７０は、ユーザが指定したオプションを表示する。
【０１１０】
なお、新聞情報出力装置１は、上述のように一連の処理の順番を予め設定し、ユーザが発注端末４０を介して受付画面における発注に必要な操作を行う際に、図９に示したような受付画面において現在どの項目に対してどのような操作を行えばよいかを例示することによりユーザの操作の支援を行ってもよい。
【０１１１】
例えば、上述のステップＳ３の処理を行うまでは、受付画面データ記憶部１７は、新聞社を選択するために現在操作すべき箇所を吹き出し、矢印、ハイライトなどの目立つ表示によりユーザに報知するデータを記憶していてもよい。発注端末４０は、受付画面データ記憶部１７からＨＴＭＬの情報リソース（受付画面データ）を定期的に取得している。そのため、発注端末４０は、ステップＳ３の処理を行うまでは、表示部７０に新聞社を選択するために現在操作すべき箇所を表示させることが可能である。
【０１１２】
また、ステップＳ３の処理が行われると、受付画面データ生成部１６は、日付（年月日）の「年」を選択するために現在操作すべき箇所を吹き出し、矢印、ハイライトなどの目立つ表示によりユーザに報知するデータを生成する、または、記憶部３０から読み出す。そして、受付画面データ生成部１６は、受付画面データ記憶部１７が記憶する受付画面データを上書き保存してもよい。受付画面データ記憶部１７は、上述のステップＳ６の処理を行うまで、上書きされた受付画面データを記憶していてもよい。発注端末４０は、ステップＳ６の処理を行うまで、表示部７０に日付（年月日）の「年」を選択するために現在操作すべき箇所を表示させることが可能である。
【０１１３】
また、ステップＳ６の処理が行われると、受付画面データ生成部１６は、日付（年月日）の「月」を選択するために現在操作すべき箇所を吹き出し、矢印、ハイライトなどの目立つ表示によりユーザに報知するデータを生成する、または、記憶部３０から読み出す。そして、受付画面データ生成部１６は、受付画面データ記憶部１７が記憶する受付画面データを上書き保存してもよい。受付画面データ記憶部１７は、上述のステップＳ８の処理を行うまで、上書きされた受付画面データを記憶していてもよい。発注端末４０は、ステップＳ８の処理を行うまで、表示部７０に日付（年月日）の「月」を選択するために現在操作すべき箇所を表示させることが可能である。
【０１１４】
また、ステップＳ８の処理が行われると、受付画面データ生成部１６は、日付（年月日）の「日」を選択するために現在操作すべき箇所を吹き出し、矢印、ハイライトなどの目立つ表示によりユーザに報知するデータを生成する、または、記憶部３０から読み出す。そして、受付画面データ生成部１６は、受付画面データ記憶部１７が記憶する受付画面データを上書き保存してもよい。受付画面データ記憶部１７は、上述のステップＳ１０の処理を行うまで、上書きされた受付画面データを記憶していてもよい。発注端末４０は、ステップＳ１０の処理を行うまで、表示部７０に日付（年月日）の「日」を選択するために現在操作すべき箇所を表示させることが可能である。
【０１１５】
また、ステップＳ１０の処理が行われると、受付画面データ生成部１６は、日付（年月日）の「年分」を選択するために現在操作すべき箇所を吹き出し、矢印、ハイライトなどの目立つ表示によりユーザに報知するデータを生成する、または、記憶部３０から読み出す。そして、受付画面データ生成部１６は、受付画面データ記憶部１７が記憶する受付画面データを上書き保存してもよい。受付画面データ記憶部１７は、上述のステップＳ１２の処理を行うまで、上書きされた受付画面データを記憶していてもよい。発注端末４０は、ステップＳ１２の処理を行うまで、表示部７０に日付（年月日）の「年分」を選択するために現在操作すべき箇所を表示させることが可能である。
【０１１６】
また、ステップＳ１２の処理が行われると、受付画面データ生成部１６は、表紙の色を指定するために現在操作すべき箇所を吹き出し、矢印、ハイライトなどの目立つ表示によりユーザに報知するデータを生成する、または、記憶部３０から読み出す。そして、受付画面データ生成部１６は、受付画面データ記憶部１７が記憶する受付画面データを上書き保存してもよい。受付画面データ記憶部１７は、上述のステップＳ２５の処理を行うまで、上書きされた受付画面データを記憶していてもよい。発注端末４０は、ステップＳ２５の処理を行うまで、表示部７０に表紙の色を指定するために現在操作すべき箇所を表示させることが可能である。
【０１１７】
また、ステップＳ２５の処理が行われると、受付画面データ生成部１６は、タイトルと氏名を指定するために現在操作すべき箇所を吹き出し、矢印、ハイライトなどの目立つ表示によりユーザに報知するデータを生成する、または、記憶部３０から読み出す。そして、受付画面データ生成部１６は、受付画面データ記憶部１７が記憶する受付画面データを上書き保存してもよい。受付画面データ記憶部１７は、上述のステップＳ２７の処理を行うまで、上書きされた受付画面データを記憶していてもよい。発注端末４０は、ステップＳ２７の処理を行うまで、表示部７０にタイトルと氏名を指定するために現在操作すべき箇所を表示させることが可能である。
【０１１８】
また、ステップＳ２７の処理が行われると、受付画面データ生成部１６は、オプションを指定するために現在操作すべき箇所を吹き出し、矢印、ハイライトなどの目立つ表示によりユーザに報知するデータを生成する、または、記憶部３０から読み出す。そして、受付画面データ生成部１６は、受付画面データ記憶部１７が記憶する受付画面データを上書き保存してもよい。受付画面データ記憶部１７は、上述のステップＳ２９の処理を行うまで、上書きされた受付画面データを記憶していてもよい。発注端末４０は、ステップＳ２９の処理を行うまで、表示部７０にオプションを指定するために現在操作すべき箇所を表示させることが可能である。
【０１１９】
なお、受付画面での操作の支援は、表示に限定するものではない。例えば、受付画面での操作の支援は、受付画面データ記憶部１７が音声データを記憶し、音声により操作を支援してもよい。また、受付画面での操作の支援は、受付画面データ記憶部１７が動画データを記憶し、動画で受付画面での操作の例を示すことにより支援してよい。また、受付画面での操作の支援は、受付画面データ記憶部１７が警告を表示する画面データを記憶し、データが削除される場合などに警告を表示することにより操作を支援してもよい。
【０１２０】
上述のステップＳ３０の後、発注端末４０は、ユーザ操作により取得した顧客情報（例えば、氏名、メールアドレス、住所、および電話番号など）をネットワーク６０を介して新聞情報出力装置１に送信する。
新聞情報出力装置１は、発注端末４０から受信した顧客情報を含む注文に基づいて、ユーザが指定した発行日の紙面情報と注文票を作成するためのデータとを読み取る。新聞情報出力装置１は、紙面情報と注文票を作成するためのデータとを印刷機２に送信する（ステップＳ３１）。印刷機２は、新聞情報出力装置１から紙面情報と注文票を作成するためのデータとを受信すると、記念日新聞に係るサービス専用の用紙に受信した紙面情報が示す記事を印刷する。また、印刷機２は、記念日新聞に係るサービスの注文票を印刷する。
印刷機２が記事を印刷したサービス専用の用紙は、製本され、注文票と共にユーザが指定した住所へ送付される。
また、会計サーバは、記念日新聞に係るサービスおよびオプション（オプションが選択された場合）の販売価格を示す価格情報と、支払方法を示す支払方法情報とを含む情報である会計情報に基づいて、会計処理を行う。
また、上述のステップＳ１６の処理で、日付判定部２４は、読み取った日付に対応する夕刊発行フラグが「０」であると判定した場合、読み取った日付に１日加えて再度判定するものとして説明した。すなわち、上述のステップＳ１６の処理で、日付判定部２４は、夕刊が発行されていない場合、翌日以降の朝刊及び夕刊の発行の有無を判定するものとし、直近に発行された新聞を代用する処理を行うものとして説明した。しかしながら、これに限定するものではない。例えば、上述のステップＳ１６の処理において、日付判定部２４は、読み取った日付に対応する夕刊発行フラグが「０」であると判定した場合、読み取った日付から１日減じて再度判定するものであってもよい。すなわち、上述のステップＳ１６の処理において、日付判定部２４は、夕刊が発行されていない場合、前日以前の朝刊及び夕刊の発行の有無を判定するものとし、直近に発行された新聞を代用する処理を行うものであってもよい。また、朝刊のみ、あるいは、夕刊のみを指定し直近に発行された新聞を代用するものであってもよい。また、上述のステップＳ１６の処理で、日付判定部２４は、読み取った日付に１日ではなく数日加えて、あるいは減じて再度判定するものであってもよい。なお、うるう年の２月２９日に関しても、うるう年ではない年の２月２９日を休刊日として扱うことで、上述と同様に発行された新聞の有無を判定し代用することができる。
【０１２１】
以上、本発明の一実施形態による新聞情報出力装置１について説明した。上述の新聞情報出力装置１において、注文受付部１５は、過去の日付を示す日付情報を含む注文を発注端末４０から受け付ける。新聞紙面判定部２６は、新聞の紙面のうち少なくともトップ記事の見出しと、トップ記事の見出しの所定条件毎に予め定められた得点との対応関係に基づいて、注文受付部１５が発注端末４０から受け付けた注文に基づき選択された新聞の紙面における記事の得点を算出する。
こうすることで、ウェブサイト上で新聞の複製物を記念日の贈り物として送付するサービスを発注する際、新聞情報出力装置１により、ユーザは、発注する新聞の複製物における記事の内容が贈り相手に適しているかを確認することができる。
【０１２２】
なお、本実施形態による新聞情報出力装置１が行う処理において、受付画面データ生成部１６は、ユーザが打ち込む「ＮＧワード」を受付画面のサムネールにおいて赤枠などを表示させることによりユーザに報知してもよい。具体的には、ユーザが図７（３）で示した受付画面において「ＮＧワード」を打ち込む操作を行う。すると、受付画面データ生成部１６は、新聞紙面判定部２６から対象としている紙面情報識別番号とそれぞれの紙面における記事の見出しに使用されているキーワードを取得する。受付画面データ生成部１６は、ユーザが打ち込んだＮＧワードと、新聞紙面判定部２６から取得したキーワードとを比較する。受付画面データ生成部１６は、ＮＧワードに一致する記事の見出しに使用されているキーワードを特定する。受付画面データ生成部１６は、紙面得点データ記憶部１８からデータテーブルＴＢＬ３を読み出し、データテーブルＴＢＬ３において、対象としている紙面情報識別番号と特定したキーワードとに対応する、サムネールデータと紙面における座標とを特定する。受付画面データ生成部１６は、特定したサムネールデータにおいて特定した紙面における座標に対応する箇所を、所定の得点以下の記事の見出しが記載されている箇所と特定し、受付画面のサムネールにおいて赤枠などを表示させることによりユーザに報知する。
こうすることで、ウェブサイト上で新聞の複製物を記念日の贈り物として送付するサービスを発注する際、新聞情報出力装置１により、ユーザは、ＮＧワードを含まない新聞の複製物を記念日の贈り物として選択することができる。
【０１２３】
なお、本発明における記憶部やメモリは、適切な情報の送受信が行われる範囲においてどこに備えられていてもよい。また、記憶部やメモリは、適切な情報の送受信が行われる範囲において複数存在しデータを分散して記憶していてもよい。
【０１２４】
なお本発明の実施形態における処理フローは、適切な処理が行われる範囲において、処理の順番が入れ替わってもよい。
【０１２５】
なお本発明の実施形態について説明したが、上述の新聞情報出力装置１は内部に、コンピュータシステムを有している。そして、上述した処理の過程は、プログラムの形式でコンピュータ読み取り可能な記憶部に記憶されており、このプログラムをコンピュータが読み出して実行することによって、上記処理が行われる。ここでコンピュータ読み取り可能な記憶部とは、磁気ディスク、光磁気ディスク、ＣＤ−ＲＯＭ、ＤＶＤ−ＲＯＭ、半導体メモリ等をいう。また、このコンピュータプログラムを通信回線によってコンピュータに配信し、この配信を受けたコンピュータが当該プログラムを実行するようにしてもよい。
【０１２６】
また、上記プログラムは、前述した機能の一部を実現するためのものであってもよい。さらに、前述した機能をコンピュータシステムにすでに記録されているプログラムとの組み合わせで実現できるもの、いわゆる差分ファイル（差分プログラム）であってもよい。
【０１２７】
本発明のいくつかの実施形態を説明したが、これらの実施形態は、例として提示したものであり、発明の範囲を限定するものではない。また、発明の要旨を逸脱しない範囲で、種々の省略、置き換え、変更を行うことができるものである。
【０１２８】
なお、上記の実施形態の一部又は全部は、以下の付記のようにも記載されうるが、以下には限られない。
【０１２９】
（付記１）注文受付部は、過去の日付を示す日付情報を含む注文を発注端末から受け付け、
得点算出部は、新聞の紙面の見出しと、所定条件毎に前記見出しに予め付与された得点との対応関係に基づいて、前記注文受付部が受け付けた注文の前記日付情報に基づき選択された前記見出しを含む新聞の紙面の得点を算出し、
第１出力データ生成部は、前記得点算出部が算出した前記見出しを含む新聞の紙面の得点を前記発注端末に出力させるデータを生成する、得点算出方法。
【符号の説明】
【０１３０】
１・・・新聞情報出力装置
２・・・印刷機
３・・・受発注システム
１０・・・通信部
１２・・・紙面情報記憶部
１４・・・紙面情報管理部
１５・・・注文受付部
１６・・・受付画面データ生成部
１７・・・受付画面データ記憶部
１８・・・紙面得点データ記憶部
２０・・・注文受付結果読取部
２２・・・注文受付結果記憶部
２４・・・日付判定部
２５・・・紙面情報出力部
２６・・・新聞紙面判定部
２７・・・ファイル取得部
２８・・・ＣＰＵ部
３０・・・記憶部
３２・・・記念日新聞受注プログラム
４０・・・発注端末
５０・・・受注システム
６０・・・ネットワーク
７０・・・表示部
【図１】
2017021715.tif 000003
【図２】
2017021715.tif 000004
【図３】
2017021715.tif 000005
【図４】
2017021715.tif 000006
【図５】
2017021715.tif 000007
【図６】
2017021715.tif 000008
【図８】
2017021715.tif 000009
【図９】
2017021715.tif 000010
【図１１】
2017021715.tif 000011
【図１２】
2017021715.tif 000012
【図７】
2017021715.tif 000013
【図１０】
2017021715.tif 000014